(57)【要約】【課題】火災検出時の画像のみならず、それに関連する補助画像を確認することが可能な火災監視装置を提供する。【解決手段】火災監視装置では、監視エリアの撮影画像についての告知情報が生成され、その告知情報を含む監視画面が表示される。ここで、監視画面は、告知情報のリストと、火災の検出時における撮影画像である検出時画像と、前記検出時画像に関連し検出時画像と同じ監視エリアで得られた補助画像と、を含む。【選択図】図３
2018151753.tif 000002
【特許請求の範囲】
【請求項１】
監視エリアの撮影画像についての告知情報を生成する情報生成手段と、
前記告知情報を含む監視画面を表示する表示手段と、
を備え、
前記監視画面は、前記告知情報のリストと、火災の検出時における撮影画像である検出時画像と、前記検出時画像に関連し前記検出時画像と同じ監視エリアで得られた補助画像と、を含むことを特徴とする火災監視装置。
【請求項２】
前記補助画像は、前記火災の検出時より前又は後の撮影画像であることを特徴とする請求項１に記載の火災監視装置。
【請求項３】
前記監視画面は、前記補助画像として、前記火災の検出時より前又は後の撮影画像を選択するための操作部を含むことを特徴とする請求項２に記載の火災監視装置。
【請求項４】
前記告知情報は、前記撮影画像に基づいて検出された火災の状態に応じて生成された警報情報を含むことを特徴とする請求項１乃至３のいずれか一項に記載の火災監視装置。
【請求項５】
前記警報情報は、火災のレベルに応じた警報種別を有し、
前記監視画面は、前記警報種別を含み、
前記補助画像は、前記警報種別に応じて異なることを特徴とする請求項４に記載の火災監視装置。
【請求項６】
前記警報種別は、火災疑い及び火災発生を含み、
前記補助画像は、前記警報種別が火災疑いである場合には前記火災の検出時より前の撮影画像であり、前記警報種別が火災発生である場合には最新の撮影画像であることを特徴とする請求項５に記載の火災監視装置。
【請求項７】
前記警報種別は、火災疑い及び火災発生を含み、
前記補助画像は、前記警報種別が火災疑いである場合には前記検出時画像における火災箇所の拡大画像であり、前記警報種別が火災発生である場合には前記検出時における監視エリアの全体の状況を示す画像又は監視エリアに設置された別のカメラによる撮影画像であることを特徴とする請求項５に記載の火災監視装置。
【請求項８】
前記監視画面は、火災が検出された監視エリア内のカメラの位置及び撮影方向を示すカメラ情報を含むことを特徴とする請求項１乃至７のいずれか一項に記載の火災監視装置。
【請求項９】
前記カメラ情報は、前記検出時画像を撮影しているカメラと、他のカメラとを異なる態様で表示することを特徴とする請求項８に記載の火災監視装置。
【請求項１０】
前記カメラ情報は、各カメラに対応する警報種別を異なる態様で表示することを特徴とする請求項８又は９に記載の火災監視装置。
【請求項１１】
カラー表示及び警報音により、前記警報情報に対応する警報を出力する警報機を備えることを特徴とする請求項１乃至１０のいずれか一項に記載の火災監視装置。
【請求項１２】
前記監視画面は、前記警報機により警報の出力が確認された場合に操作される警報確認ボタンを含み、
前記警報機は、警報の出力後、前記警報確認ボタンが操作されるまでは前記カラー表示を点滅させるとともに前記警報音を出力し、前記警報確認ボタンが操作された後は前記カラー表示を点灯状態にするとともに前記警報音の出力を停止することを特徴とする請求項１１に記載の火災監視装置。
【請求項１３】
前記監視画面は、警報の出力を解除するための警報解除ボタンを含み、
前記警報機は、前記警報解除ボタンが操作されるとカラー表示の点灯を停止し、
前記監視画面において、操作された警報解除ボタンに対応する警報情報は前記警報情報のリストから削除されることを特徴とする請求項１２に記載の火災監視装置。
【請求項１４】
前記監視画面は、前記検出時画像の動画の再生を指示するための操作ボタンを含むことを特徴とする請求項１乃至１３のいずれか一項に記載の火災監視装置。
【請求項１５】
前記監視画面は、前記検出時画像における火災の検出箇所を拡大表示するための操作ボタンを含むことを特徴とする請求項１４に記載の火災監視装置。
【発明の詳細な説明】
【技術分野】
【０００１】
本発明は、監視カメラの画像に基づいて火災を検出する技術に関する。
【背景技術】
【０００２】
カメラによる撮影画像に基づいて火災を検出する技術が知られている。例えば、特許文献１は、カラーカメラを用いた火災検知警報システムを記載している。このシステムでは、監視領域がカラーカメラで撮影され、得られた画像情報は通信回線等を介して緊急通報センターならびに関係者に通報される。同時に、カラーカメラで撮影された画像のカラー成分に基づいて火災レベルが算出され、緊急通報センターならびに関係者に通報される。
【先行技術文献】
【特許文献】
【０００３】
【特許文献１】特開２００８−９７２２２号公報
【発明の概要】
【発明が解決しようとする課題】
【０００４】
しかし、特許文献１のシステムでは、火災検出時の画像を確認することはできるが、火災の検出前の画像や、検出後の画像を確認することはできない。
【０００５】
本発明は、火災検出時の画像のみならず、それに関連する補助画像を確認することが可能な火災監視装置を提供することを主な目的とする。
【課題を解決するための手段】
【０００６】
本発明の１つの観点では、火災監視装置は、監視エリアの撮影画像についての告知情報を生成する情報生成手段と、前記告知情報を含む監視画面を表示する表示手段と、を備え、前記監視画面は、前記告知情報のリストと、火災の検出時における撮影画像である検出時画像と、前記検出時画像に関連し前記検出時画像と同じ監視エリアで得られた補助画像と、を含む。
【０００７】
上記の火災監視装置では、監視エリアの撮影画像についての告知情報が生成され、その告知情報を含む監視画面が表示される。ここで、監視画面は、告知情報のリストと、火災の検出時における撮影画像である検出時画像と、前記検出時画像に関連し検出時画像と同じ監視エリアで得られた補助画像と、を含む。よって、監視画面を見ることにより、火災検出時の撮影画像と、同じ監視エリアで得られた補助画像とを同時に見ることができ、火災の状況を的確に捉えることが可能となる。
【０００８】
上記の火災監視装置の一態様では、前記補助画像は、前記火災の検出時より前又は後の撮影画像である。この態様では、火災の検出時の前後の撮影画像を見ることができる。この場合、好適には前記監視画面は、前記補助画像として、前記火災の検出時より前又は後の撮影画像を選択するための操作部を含む。操作部を操作することにより、火災検出時の前後の任意の時間における撮影画像を見ることができる。
【０００９】
上記の火災監視装置の他の一態様では、前記告知情報は、前記撮影画像に基づいて検出された火災の状態に応じて生成された警報情報を含む。また、前記警報情報は、火災のレベルに応じた警報種別を有し、前記監視画面は、前記警報種別を含み、前記補助画像は、前記警報種別に応じて異なる。この態様では、警報種別に応じて、異なる補助画像を見ることができ、早期に火災を捉えるとともに火災の状態に応じて監視者などが的確な対処を行うことが可能となる。
【００１０】
好適な例では、前記警報種別は、火災疑い及び火災発生を含み、前記補助画像は、前記警報種別が火災疑いである場合には前記火災の検出時より前の撮影画像であり、前記警報種別が火災発生である場合には最新の撮影画像である。他の好適な例では、前記警報種別は、火災疑い及び火災発生を含み、前記補助画像は、前記警報種別が火災疑いである場合には前記検出時画像における火災箇所の拡大画像であり、前記警報種別が火災発生である場合には前記検出時における監視エリアの全体の状況を示す画像又は監視エリアに設置された別のカメラによる撮影画像である。
【００１１】
上記の火災監視装置の他の一態様では、前記監視画面は、火災が検出された監視エリア内のカメラの位置及び撮影方向を示すカメラ情報を含む。この態様では、火災を検出したカメラの周辺の状況を知ることができる。好適な例では、前記カメラ情報は、前記検出時画像を撮影しているカメラと、他のカメラとを異なる態様で表示する。他の好適な例では、前記カメラ情報は、各カメラに対応する警報種別を異なる態様で表示する。
【００１２】
上記の火災監視装置の他の一態様は、カラー表示及び警報音により、前記警報情報に対応する警報を出力する警報機を備える。この態様では、カラー表示及び警報音により警報を出力し、監視者などに知らせることができる。
【００１３】
上記の火災監視装置の他の一態様では、前記監視画面は、前記警報機により警報の出力が確認された場合に操作される警報確認ボタンを含み、前記警報機は、警報の出力後、前記警報確認ボタンが操作されるまでは前記カラー表示を点滅させるとともに前記警報音を出力し、前記警報確認ボタンが操作された後は前記カラー表示を点灯状態にするとともに前記警報音の出力を停止する。この態様では、監視者などが警報確認ボタンを操作するまでは警報の出力が継続される。
【００１４】
上記の火災監視装置の他の一態様では、前記監視画面は、警報の出力を解除するための警報解除ボタンを含み、前記警報機は、前記警報解除ボタンが操作されるとカラー表示の点灯を停止し、前記監視画面において、操作された警報解除ボタンに対応する警報情報は前記警報情報のリストから削除される。この態様では、監視者が警報解除ボタンを操作すると、警報の出力が停止され、警報情報が監視画面から削除される。
【００１５】
上記の火災監視装置の他の一態様では、前記監視画面は、前記検出時画像の動画の再生を指示するための操作ボタンを含む。この態様では、操作ボタンを操作することにより、火災検出時の動画を見ることができる。
【００１６】
上記の火災監視装置の他の一態様では、前記監視画面は、前記検出時画像における火災の検出箇所を拡大表示するための操作ボタンを含む。この態様では、操作ボタンを操作することにより、火災の検出箇所を詳しく見ることができる。
【図面の簡単な説明】
【００１７】
【図１】実施形態に係る火災検出通報システムの構成を示す。
【図２】火災状態の判定方法の一例を示す。
【図３】監視装置に表示される監視画面の一例を示す。
【図４】警報種別に基づく表示色及び警報機の制御例を示す。
【図５】カメラ情報の表示例を示す。
【図６】警報確認ボタンと警報解除ボタンの状態遷移を示す。
【図７】警報確認前後の警報種別表示部及び警報機の制御例を示す。
【発明を実施するための形態】
【００１８】
以下、図面を参照しながら、本発明の実施の形態について説明する。
［火災検出通報システム］
図１は、本発明の実施形態に係る火災検出通報システムの構成を示す。図示のように、火災検出通報システムは、火災監視システム１０と、火災検出システム２０と、複数のモバイル端末３０とにより構成される。火災監視システム１０と火災検出システム２０とは、ネットワーク２を介して通信可能に接続される。また、火災監視システム１０とモバイル端末３０とは、公衆回線３を介して通信可能に接続される。
【００１９】
火災検出システム２０は、例えばビルの部屋などの各監視エリアに設置され、撮影画像に基づいて火災を検出する。具体的には、監視エリア毎に、検出装置２１と複数のカメラ２２とが設置される。検出装置２１とカメラ２２はネットワーク２３により接続されている。
【００２０】
カメラ２２による撮影画像は、ネットワーク２３を介して検出装置２１へ送信される。検出装置２１は、各カメラ２２による撮影画像を定期的に（例えば数秒や数分おきに）火災監視システム１０へ送信する。また、検出装置２１は、カメラ２２から供給された撮影画像の分析を行い、予め設定された検出条件に従って火災を検出し、火災状態（火災疑い、火災発生など）の判定を行う。火災を検出した場合、検出装置２１は、その火災状態を火災監視システム１０の監視装置１１へ通報する。この際、検出装置２１は、火災を検出した位置の矩形を重ねた撮影画像、動画、及び矩形枠情報を監視装置１１へ送信する。
【００２１】
火災監視システム１０は、例えば防災センターなどの監視場所に設置され、監視装置１１と、警報機１２とを備える。監視装置１１は、複数の検出装置２１から火災の通報を受信し、表示部に監視画面を表示するとともに、警報機１２を制御して警報出力を行う。また、監視装置１１は、モバイル端末３０に対して検出時の撮影画像を添付したメール送信による火災の通報を行うとともに、モバイル端末３０からの問い合わせに応じて火災検出時の撮影画像、動画を配信する。なお、監視装置１１は、本発明の警報生成手段及び表示手段の一例である。
【００２２】
［火災状態の判定方法］
次に、火災検出システム２０内の検出装置２１による火災状態の判定方法について説明する。本実施形態では、検出装置２１は、火災の状態を３つのレベルに分類し、そのレベルを示す警報情報を生成し、警報情報を含む告知情報を監視画面に表示する。具体的に、火災状態は、「平常復帰」、「火災疑い」、「火災発生」の３つのレベルに分類される。ここで、「平常復帰」は火災の検出が全く無い状態であり、「火災疑い」は火災の疑いがある状態であり、「火災発生」は火災が発生している状態である。
【００２３】
検出装置２１は、カメラ２２からの撮影画像に対して所定の火災検出処理を行い、火災を検出する。例えば、検出装置２１は、撮影画像から背景部分を除去して動体領域を抽出し、動体部分のうち火災の可能性がある領域を火災候補領域として抽出する。次に、検出装置２１は、火災候補領域の画像に対して色ベースの分類処理や揺らぎ測定処理などを行い、さらに複数フレームの時系列特徴を考慮した判別を行って火災の有無を判定する。
【００２４】
次に、検出装置２１は、火災の検出の有無及び火災が検出された回数に基づいて、火災状態の判定、即ち、「平常復帰」、「火災疑い」、「火災発生」のいずれに該当するかの判定を行う。図２は、火災状態の判定方法の一例を示す。本例では、以下の判定条件により３つの火災状態が判定される。
「火災疑い」：平常復帰の状態で、火災有りを２回連続して判定
「火災発生」：災疑いの状態で、火災有りを５回連続して判定
「平常復帰」：火災疑い又は火災発生の状態で、火災無しを６回連続して判定
【００２５】
図２の例では、まず、「平常復帰」の状態において火災有りが２回連続して判定されたときに火災疑いの判定条件が具備され、火災状態が「平常復帰」から「火災疑い」に移行している。次に、「火災疑い」の状態において火災有りが５回連続して判定されたときに火災発生の判定条件が具備され、火災状態が「火災疑い」から「火災発生」に移行している。その後、「火災発生」の状態において火災無しが６回連続して判定されたときに平常復帰の判定条件が具備され、火災状態が「火災発生」から「平常復帰」に移行している。なお、上記の判定条件は一例であり、これとは異なる各種の判定条件を採用することが可能である。
【００２６】
検出装置２１が出力する告知情報は、火災（「火災疑い」、「火災発生」の両者を含む。）を検出したカメラを特定するための情報を含んでも良い。例えば、告知情報は、カメラのＩＤやカメラの設置場所等の情報を含んでも良い。また、告知情報は、火災（「火災疑い」、「火災発生」の両者を含む。）を検出していない、監視エリアに配置されたカメラを特定するための情報を含んでも良い。なお、告知情報はこれらの情報に限定されず、更に他の情報を含んでいても良い。
【００２７】
［監視画面］
次に、監視装置１１の表示部に表示される監視画面について説明する。監視装置１１は、検出装置２１から、火災通報とともに火災状態及び火災を検出した位置の矩形を重ねた撮影画像、動画、及び矩形枠情報を受信し、監視画面を表示する。図３は、監視画面の一例を示す。監視画面４０は、大別して、警報一覧エリア４２と、警報詳細エリア４４と、警報関連ボタン５４及び５５と、その他のボタン・表示とを含む。以下、順に説明する。
【００２８】
（１）警報一覧エリア
警報一覧エリア４２には、現在発生している火災に関する警報情報のリストが表示される。警報情報は、火災検出システム２０の各検出装置２１から通報された火災状態に基づいて表示される。図３の例では、警報一覧エリア４２に３つの警報情報が表示されている。警報一覧エリア４２の一番上の行（以下、「ヘッダ行」と呼ぶ。）４３に示すように、警報一覧エリア４２は、警報情報毎に「ＩＤ」、「警報種別」、「検出場所」、「受信時間」の項目を表示する。なお、１つの警報情報は、「ＩＤ」、「警報種別」、「検出場所」、「受信時間」の情報を含む横方向の１行の情報である。警報情報は、火災を検出したカメラ２２毎に生成され、「ＩＤ」は火災を検出したカメラ２２のＩＤを示す。「警報種別」は、検出された火災状態に対応し、具体的には、検出装置２１が検出した火災状態のうち「火災疑い」又は「火災発生」となる。「検出場所」は火災が検出された場所、言い換えればカメラの設置場所を示す。「受信時間」は検出装置２１から火災通報を受信した日時を示す。
【００２９】
警報一覧エリア４２では、常に１つの警報情報が選択された状態となる。図３の例は、３つの警報情報のうち、上から２番目の警報情報が選択された状態を示している。選択中の警報情報は、選択中を示す矢印６１により示されている。
【００３０】
警報一覧エリア４２に表示される警報情報は、警報種別毎に異なる色で表示される。図４（Ａ）に、警報一覧エリア４２内の警報情報の表示色の一例を示す。この例では、警報種別が「火災疑い」である警報情報は橙色の背景色で表示され、警報種別が「火災発生」である警報情報は赤色の背景色で表示される。なお、図３では図示の便宜上、警報種別が「火災疑い」である警報情報は白で表示され、警報種別が「火災発生」である警報情報はグレーで表示されている。
【００３１】
警報一覧エリア４２の右端には、警報詳細前後ボタン４５と、警報詳細位置表示部４６が表示される。警報詳細前後ボタン４５は、上向きボタン（「▲」）と下向きボタン（「▼」）により構成される。上向きボタン又は下向きボタンが操作されると、警報一覧エリア４２に表示されている警報情報のリストが上方向又は下方向にスクロールする。警報詳細位置表示部４６は、現在発生中の警報情報の総数（「Ｔｏｔａｌ」）と、警報一覧エリア４２において選択中の警報情報の行番号（「Ｃｕｒｒｅｎｔ」）とを表示している。図３の例では、３つの警報情報が発生しており、上から２番目の警報情報が選択されているので、「Ｔｏｔａｌ」の欄が「３」、「Ｃｕｒｒｅｎｔ」の欄が「２」となっている。
【００３２】
警報一覧エリア４２において、デフォルト設定では、火災通報の受信時間の順序で警報情報が上から表示される。これは、先に検出された火災の警報情報を上に表示し、早く監視者などに確認させるためである。但し、警報一覧エリア４２に表示される複数の警報情報の表示順序は変更することができる。具体的には、監視者がヘッダ行４３に含まれる各項目のボタンを押すと、その項目をキーにして、複数の警報情報を昇順／降順に並べ替える（ソートする）ことができる。但し、その場合でも、表示順序を決める第２のキーとしては受信時刻が使用される。例えば、監視者が「警報種別」のボタンを押すと、警報種別の順に警報情報が表示される。この場合、「火災発生」の警報情報が受信時刻順に上から並べて表示され、その下に「火災疑い」の警報情報が受信時刻順に上から並べて表示される。一方、監視者が「検出場所」のボタンを押すと、各警報情報が検出場所によりソートして表示される。この場合、検出場所の順序は、部屋番号に従って表示する方法、ビルの上階から下階へ順に表示する方法などがあるが、それ以外に、例えば火災の発生可能性が高い監視エリアから低い監視エリアへの順序、もしくは、火災が発生したときの影響が大きい監視エリアから小さい監視エリアへの順序などによりソートすることとしてもよい。
【００３３】
（２）警報詳細エリア
警報詳細エリア４４は、警報一覧エリア４２において選択されている警報情報の詳細を表示するエリアであり、警報種別表示部４７と、場所・時刻情報４８と、警報画像４９と、カメラ情報５０と、補助画像５１と、警報画像操作パネル５２と、補助画像操作パネル５３とを含む。
【００３４】
警報種別表示部４７は、警報一覧エリア４２内で選択中（矢印６１が付されている）の警報情報の警報種別を表示する。図４（Ｂ）は、警報種別表示部４７の表示色の例を示す。この例では、選択中の警報情報の警報種別が「火災疑い」である場合、警報種別表示部４７の文字は黒色、背景色は橙色となり、選択中の警報情報の警報種別が「火災発生」である場合、警報種別表示部４７の文字は黒色、背景色は赤色となる。場所・時刻情報４８は、選択中の警報情報の検出場所及び受信時間を示す。
【００３５】
警報画像４９は、選択中の警報情報の火災検出時の画像である。監視装置１１は、検出装置２１から火災通報を受信すると、それとともに送信される撮影画像から火災検出時の撮影画像を抽出し、警報画像４９として表示する。警報画像４９は、火災検出時におけるカメラ２２の撮影画像であり、カメラ２２の撮影範囲全体の画像を含むが、そのうち火災と判定された箇所には火災の位置であることを示す矩形枠４９ａが表示される。
【００３６】
警報画像４９に関しては、警報画像操作パネル５２が隣接して表示されている。警報画像操作パネル５２は、再生ボタン５２ａと、検出箇所ボタン５２ｂとを含む。再生ボタン５２ａを押すと、警報画像として火災検出時の動画が再生される。検出箇所ボタン５２ｂを押すと、矩形枠４９ａの箇所、即ち火災箇所の画像が拡大表示される。なお、これに加えて、矩形枠４９ａの部分にタッチすることによって火災箇所の画像を拡大表示できるようにしてもよい。
【００３７】
カメラ情報５０は、カメラ２２毎に予め設定された情報、例えば、カメラ２２の設置位置を示すテキストやマップなどである。図５は、カメラ情報の表示例を示す。図５（Ａ）の例では、カメラ情報５０として、監視エリアであるオフィスの一室の平面図７０が表示される。平面図７０には、カメラ２２の位置を示すカメラマーク７１ａ〜７１ｃが表示される。ここで、各カメラマーク７１ａ〜７１ｃは、カメラの撮影方向が分かるように表示される。具体的に、カメラマーク７１ａ、７１ｂでは、カメラの撮影方向及び撮影範囲を示す撮影方向マーク７２が表示されている。また、カメラマーク７１ｃでは、カメラの撮影方向を示す矢印７３が表示されている。このように、カメラ情報５０にカメラの撮影方向を示す情報を含めることにより、監視者は、警報画像４９がどのカメラでどの方向を撮影した画像であるかを知ることができ、監視エリア内における火災の位置を容易に認識することができる。
【００３８】
また、図５（Ａ）の例では、カメラマーク７１ａの表示態様により、警報画像４９を撮影したカメラとそれ以外のカメラとを区別している。具体的は、カメラマーク７１ａは警報画像４９を撮影したカメラであることがハッチングにより示されており、ハッチングされていない（白抜き）のカメラマーク７１ｂ、７１ｃと区別されている。これにより、カメラ情報５０が示す平面図などに複数のカメラが含まれている場合、警報画像４９を撮影したカメラを容易に見つけることができる。なお、図５（Ａ）においては、図示の便宜上、警報画像４９を撮影したカメラとそれ以外のカメラとをハッチングの有無で区別しているが、実際には、例えば色分け、カメラマーク７１の形状や大きさを異ならせるなどの各種の表示態様により区別することができる。
【００３９】
図５（Ｂ）は、カメラ情報の他の例を示す。図５（Ｂ）は図５（Ａ）と同じオフィスの一室の平面図７０の他の例を示しているが、警報画像４９を撮影したカメラをマーク７５により示している。これに加えて、この例では、カメラマーク７１ａ〜７１ｃのハッチングを警報種別により区別して表示している。具体的に、カメラマーク７１ａ、７１ｂのカメラによる警報情報は警報種別が「火災発生」であり、カメラマーク７１ｃのカメラによる警報情報は警報種別が「火災疑い」である。このように、警報種別毎にカメラマーク７１の表示態様を変えることにより、警報画像４９が撮影されている監視エリアの全体の情報を把握することができる。なお、なお、図５（Ｂ）においては、図示の便宜上、警報種別に応じて各カメラマーク７１のハッチングの種類を変えているが、実際には、例えば色分け、カメラマーク７１の形状や大きさを異ならせるなどの各種の表示態様により区別することができる。
【００４０】
補助画像５１は、警報画像４９を撮影しているカメラと同一の監視エリアで得られた、警報画像４９に関連する画像である。具体的には、補助画像５１は、警報画像４９を撮影したカメラによる火災検出前後の所定期間の撮影画像や、警報画像４９を撮影したカメラと同じ監視エリアに設置されている他のカメラの撮影画像などとすることができる。なお、補助画像５１は、その一部を押すことにより拡大表示することができる。
【００４１】
典型的な例では、補助画像５１は、警報画像４９を撮影したカメラによる、火災検出時の前後の画像とする。例えば、火災検出時の警報画像４９を基準として、その前後の所定時間における画像を補助画像５１とする。図３に示すように、補助画像５１には、隣接して補助画像操作パネル５３が表示される。補助画像操作パネル５３は、再生ボタン５３ａと、時間指定ボタン５３ｂと、選択ボタン５３ｃとを含む。時間指定ボタン５３ｂは、どの程度前の時間の撮影画像を補助画像５１として表示するかを指定するためのボタンであり、例えば１日前、１２時間前、３時間前、１時間前、３０分前、１０分前、５分前、３分前、最新などの項目から選択することができる。再生ボタン５３ａが押されると、時間指定ボタン５３ｂにより指定された時間（図３の例では「１時間前」）から最新の画像までの動画像が再生される。一方、選択ボタン５３ｃが押されると、時間指定ボタン５３ｂにより指定された時間における撮影画像（静止画又はその付近の一定時間の動画）が表示される。
【００４２】
好適な例では、補助画像５１を警報種別に応じて決定することができる。例えば、警報種別が「火災発生」の場合は、最新の火災状況を確認しやすいように、警報画像４９を撮影したカメラによる最新の撮影画像を補助画像５１とする。一方、警報種別が「火災疑い」の場合は、火災の火元を特定しやすいように、警報画像４９を撮影したカメラによる火災検出前の撮影画像を補助画像５１とする。この場合、どの程度前の撮影画像を補助画像５１とするかは、標準的な火災の延焼時間を基にして予め設定しておく。その際、その監視エリアの環境、季節などを考慮して必要な調整を行うのが望ましい。
【００４３】
補助画像５１を警報種別に応じて決定する場合の他の好適な例では、警報種別が「火災発生」である場合は、監視エリアの全体の状況を把握できるように、監視エリアの全体の画像、カメラにより撮影可能な最も広範囲の撮影画像、同じ監視エリアに配置された他のカメラによる撮影画像などを補助画像５１とすることができる。一方、警報種別が「火災疑い」の場合は、火災の発生位置の状況を詳しく確認できるように、警報画像４９中の矩形枠４９ａの部分の拡大画像を補助画像５１とする。
【００４４】
（３）警報関連ボタン
警報関連ボタンは、警報確認ボタン５４及び警報解除ボタン５５を含む。警報確認ボタン５４は、警報機１２の出力などに基づいて警報に気付いたときに監視者により操作される。また、警報解除ボタン５５は、警報を解除する際に監視者により操作される。図６は、警報確認ボタン５４と警報解除ボタン５５の状態遷移を示す。図６（Ａ）に示すように、ボタン状態１は火災状態「火災疑い」又は「火災発生」が検出されて警報が出力された状態であり、警報確認ボタン５４のみが操作可能となっている。その後、監視者が警報に気づき、警報確認ボタン５４を押すと、ボタン状態２に移行する。ボタン状態２では、警報解除ボタン５５のみが操作可能となっており、監視者による警報の解除待ちとなる。その後、監視者が警報解除ボタン５５を押すことにより、警報が解除される。具体的には、監視者が警報解除ボタン５５を押すと、警報一覧エリア４２において選択中の警報情報が削除される。但し、警報の解除は、選択中の警報情報に対応するカメラが検出した火災状態が「平常復帰」に戻っていることが条件となる。即ち、選択中の警報情報に対応するカメラが検出した火災状態が「平常復帰」に戻っている場合に監視者が警報解除ボタン５５を押すと、対応する警報情報が警報一覧エリア４２から削除される。一方、選択中の警報状態に対応するカメラが検出した火災状態が「平常復帰」に戻っていない場合に監視者が警報解除ボタン５５を押しても、警報解除ができない旨のエラーメッセージが表示される。
【００４５】
次に、警報種別及び警報確認ボタン５４の状態に応じた警報種別表示部４７及び警報機１２の制御方法を説明する。図４（Ｃ）は、警報機１２の制御方法、具体的には警報種別及び警報確認ボタン５４の状態と、警報種別表示部４７及び警報機１２の状態との対応を示す。また、図７は、警報確認ボタン５４の操作による警報確認前後の警報種別表示部４７と警報機１２の状態を模式的に示す。図７に示すように、警報機１２は、赤色、黄色、緑色の３つのランプと、ブザーとを備える。
【００４６】
図４（Ｃ）を参照し、まず警報一覧エリア４２内に警報種別「火災疑い」及び「火災発生」の警報情報が無い場合、監視画面４０の警報種別表示部４７には何も表示されず、警報機１２では緑色のランプが点灯し、ブザーはオフとなっている。次に、警報一覧エリア４２に警報種別「火災疑い」の警報情報のみがあり、警報確認ボタン５４が押される前は、警報種別表示部４７に「火災疑い」と表示され、その背景色がフリッカ表示され、警報機１２の黄色のランプが点滅し、ブザーがオンになる。次に、警報一覧エリア４２内に警報種別「火災疑い」の警報情報のみがあり、警報確認ボタン５４が押された後は、警報種別表示部４７に「火災疑い」と表示され、その背景色のフリッカ表示は停止し、警報機１２の黄色のランプは点灯状態となり、ブザーがオフとなる。
【００４７】
次に、警報一覧エリア４２に警報種別「火災発生」の警報情報のみがあり、警報確認ボタン５４が押される前は、図７（Ａ）に示す警報確認前に相当する。この場合、警報種別表示部４７に「火災発生」と表示され、その背景色がフリッカ表示され、警報機１２の赤色のランプが点滅し、ブザーがオンとなる。次に、警報一覧エリア４２内に警報種別「火災発生」の警報情報のみがあり、警報確認ボタン５４が押された後は、図７（Ｂ）に示す警報確認後に相当する。この場合、警報種別表示部４７に「火災発生」と表示され、その背景色のフリッカ表示は停止し、警報機１２の赤色のランプは点灯状態となり、ブザーがオフとなる。
【００４８】
次に、警報一覧エリア４２に警報種別「火災疑い」と「火災発生」の両方の警報情報があり、警報確認ボタン５４が押される前は、警報種別表示部４７に「火災疑い」又は「火災発生」と表示され、その背景色がフリッカ表示され、警報機１２の赤色及び黄色のランプが点滅し、ブザーがオンとなる。次に、警報一覧エリア４２内に警報種別「火災疑い」と「火災発生」の両方の警報情報があり、警報確認ボタン５４が押された後は、警報種別表示部４７に「火災疑い」又は「火災発生」と表示され、その背景色のフリッカ表示は停止し、警報機１２の赤色及び黄色のランプは点灯状態となり、ブザーはオフとなる。
【００４９】
（その他のボタン・表示）
次に、図３に示す監視画面４０におけるその他のボタン・表示について説明する。警報一覧エリア４２の左上にある在席／不在ボタン４１は、監視場所における監視者の在席／不在を示すボタンであり、監視者がボタンを押すことにより、「在席」と「不在」の表示が切り替わる。図３の監視画面４０は、監視者が在席している状態を示している。例えば、監視装置１１は、監視者が不在のときにのみモバイル端末３０へのメール送信を行うようにしてもよい。
【００５０】
警報詳細エリア４４の左下にある時刻表示５６は現在の時刻を表示する。また、その下にあるガイド表示５９は、監視画面４０に関してユーザに対する操作ガイダンスを表示している。警報一覧エリア４２の右上にある履歴ボタン５７は、過去の履歴情報を表示させるための操作ボタンであり、これが押されると履歴表示画面が開く。また、その隣にある保守設定ボタン５８は、保守設定の情報を表示するための操作ボタンであり、これが押されると保守設定画面が開く。
【００５１】
［変形例］
上記の実施形態では、警報種別として、検出進行度合いを示す「火災疑い」、「火災発生」、「平常復帰」の３つを使用しているが、これ以外に例えば「検出規模（大、小）」、「検出内容（炎、煙）」などを利用しても良い。
【符号の説明】
【００５２】
１０  火災監視システム
１１  監視装置
１２  警報機
２０  火災検出システム
２１  検出装置
２２  カメラ
３０  モバイル端末
【図１】
2018151753.tif 000003
【図２】
2018151753.tif 000004
【図３】
2018151753.tif 000005
【図４】
2018151753.tif 000006
【図５】
2018151753.tif 000007
【図６】
2018151753.tif 000008
【図７】
2018151753.tif 000009